(57)【要約】【課題】処理を複雑化させることなくシステム内機能を実現する。【解決手段】ボタン電話システムを構成する各ボタン電話装置１０Ａ，１０Ｂ間でデータ通信網５２を介して制御メッセージをやり取りすることにより呼制御を行う場合、各主装置１Ａ，１Ｂの呼制御手段１７Ａで、制御メッセージとして、当該ボタン電話システムに属するボタン電話装置からのメッセージであることを示すシステムＩＤと、当該制御メッセージで指示する処理の内容を示す処理情報とを付加したメッセージを送信する。【選択図】        図２
2004304630.tif 000002
【特許請求の範囲】
【請求項１】
電話網およびデータ通信網からの回線を収容する主装置と、この主装置に収容される１つ以上の電話機とからなり、前記主装置で前記回線と前記電話機とを接続するボタン電話装置を複数有するボタン電話システムで用いられ、これらボタン電話装置の主装置間で、前記データ通信網を介して制御メッセージをやり取りすることにより呼制御を行うとともに、音声データをやり取りすることにより通話を実現するボタン電話装置であって、
前記主装置は、前記制御メッセージとして、当該ボタン電話システムに属するボタン電話装置からのメッセージであることを示すシステムＩＤと、当該制御メッセージで指示する処理の内容を示す処理情報とを付加したメッセージを送信する呼制御手段を備えることを特徴とするボタン電話装置。
【請求項２】
請求項１に記載のボタン電話装置において、
前記呼制御手段は、当該ボタン電話システムに属する他のボタン電話装置に発呼する際、少なくとも前記処理情報として、当該発呼が当該ボタン電話システム内の内線呼出であることを示す機能コマンドと、当該内線呼出の発信元内線番号および着信先内線番号を示す機能情報とを含む前記制御メッセージを送信することを特徴とするボタン電話装置。
【請求項３】
請求項１に記載のボタン電話装置において、
前記呼制御手段は、当該ボタン電話システムに属する他のボタン電話装置へ通話を転送する際、少なくとも前記処理情報として、当該転送が当該ボタン電話システム内の内線転送であることを示す機能コマンドと、当該内線転送で転送する元の通話の発信元電話番号および着信先電話番号を示す機能情報とを含む前記制御メッセージを送信することを特徴とするボタン電話装置。
【発明の詳細な説明】
【０００１】
【発明の属する技術分野】
本発明は、ボタン電話装置に関し、特に複数のボタン電話装置がデータ通信網を介して接続されたボタン電話システムで用いられるボタン電話装置に関するものである。
【０００２】
【従来の技術】
近年のＶｏＩＰ技術の発達に伴い、インターネットなどのパケット通信網で構成されるデータ通信網を介して音声データをやり取りすることにより、通話を行う電話装置が実現されている。
このような電話装置では、ＩＴＵ−Ｔ標準のＨ．３２３やＩＥＴＦ標準のＳＩＰ（Ｓｅｓｓｉｏｎ  Ｉｎｉｔｉａｔｏｎ  Ｐｒｏｔｏｃｏｌ）などの呼制御プロトコルに従って、データ通信網を介して制御メッセージをやり取りすることにより、電話装置間で呼制御を行うものとなっている。
【０００３】
一方、このようなデータ通信網を介してボタン電話装置間を接続し、そのデータ通信網を介して音声データをやり取りすることにより通話パスを形成し、その通話パスを利用してボタン電話装置間での通話を実現するボタン電話システムがある。
このようなボタン電話システムでは、例えばそれぞれの主装置に収容されている電話機間での内線通話、さらには一方の主装置の電話機が行っている外線通話を他方の主装置の電話機へ転送する内線転送などのシステム内機能を実現する際、前述のような一般的な呼制御プロトコルを適用して実現する方法が考えられる。
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開２０００−１５１６７９号公報
【０００６】
【発明が解決しようとする課題】
このような従来の呼制御プロトコルでシステム内機能を実現するには、主装置間で、一般的な制御メッセージのほかに、そのシステム内機能の実現に必要な処理情報を別個のメッセージでやり取りする必要がある。
例えば、システム内での内線呼出には、着側ボタン電話装置の電話番号だけでなく、その着側主装置に収容されている着側電話機の内線番号を通知する必要がある。さらに、着側相手に対して内線発信元を明らかにするには、発側ボタン電話装置の電話番号だけでなく、発側主装置に収容されている発側電話機の内線番号を通知する必要がある。
【０００７】
しかしながら、このような複数のメッセージを異なるタイミングでやり取りして１つのシステム内機能を実現するには、例えば同一システム内機能に関係するすべてのメッセージが到着するまでの過渡状態を厳密に管理する必要があり、処理が複雑になるという問題点があった。
本発明はこのような課題を解決するためのものであり、処理を複雑化させることなくシステム内機能を実現できるボタン電話装置を提供することを目的としている。
【０００８】
【課題を解決するための手段】
このような目的を達成するために、本発明にかかるボタン電話装置は、電話網およびデータ通信網からの回線を収容する主装置と、この主装置に収容される１つ以上の電話機とからなり、主装置で回線と電話機とを接続するボタン電話装置を複数有するボタン電話システムで用いられ、これらボタン電話装置の主装置間で、データ通信網を介して制御メッセージをやり取りすることにより呼制御を行うとともに、音声データをやり取りすることにより通話を実現するボタン電話装置であって、主装置に、制御メッセージとして、当該ボタン電話システムに属するボタン電話装置からのメッセージであることを示すシステムＩＤと、当該制御メッセージで指示する処理の内容を示す処理情報とを付加したメッセージを送信する呼制御手段を備えるものである。
【０００９】
制御メッセージの具体例として、呼制御手段で、当該ボタン電話システムに属する他のボタン電話装置に発呼する際、少なくとも処理情報として、当該発呼が当該ボタン電話システム内の内線呼出であることを示す機能コマンドと、当該内線呼出の発信元内線番号および着信先内線番号を示す機能情報とを含む制御メッセージを送信するようにしてもよい。
【００１０】
制御メッセージの他の具体例として、呼制御手段で、当該ボタン電話システムに属する他のボタン電話装置へ通話を転送する際、少なくとも処理情報として、当該転送が当該ボタン電話システム内の内線転送であることを示す機能コマンドと、当該内線転送で転送する元の通話の発信元電話番号および着信先電話番号を示す機能情報とを含む制御メッセージを送信するようにしてもよい。
【００１１】
【発明の実施の形態】
次に、本発明の実施の形態について図面を参照して説明する。
まず、図１を参照して、本発明の一実施の形態にかかるボタン電話装置について説明する。図１は本発明の一実施の形態にかかるボタン電話システムの構成を示すブロック図である。
このボタン電話システムは、複数のボタン電話装置１０Ａ，１０Ｂ〜１０Ｎから構成されている。これらボタン電話装置１０Ａ〜１０Ｎは、それぞれ１つ以上のボタン電話機２またはＩＰ電話端末３などの電話機と、公衆電話網やＩＳＤＮ網などの電話網５１からの回線を収容するとともにボタン電話機２やＩＰ電話端末３を収容しその回線にこれら電話機を交換接続する主装置１とを有している。
【００１２】
また、各ボタン電話装置１０Ａ〜１０Ｎの主装置１は、インターネットなどのＩＰネットワークからなるデータ通信網５２を介して相互に接続されており、このデータ通信網５２を介して制御データをやり取りすることにより呼制御を行うとともに、音声データをやり取りすることによりＶｏＩＰ（Ｖｏｉｃｅ  ｏｖｅｒ  ＩＰ）などの音声パケット技術を用いて通話を形成し、その通話を利用することにより他のボタン電話装置の回線を用いた通話を実現する。
【００１３】
本実施の形態では、各ボタン電話装置の主装置１間で、データ通信網５２を介してシステム内機能を実現するための制御メッセージをやり取りする際、その制御メッセージに、当該ボタン電話システムに属するボタン電話装置からのメッセージであることを示すシステムＩＤと、当該制御メッセージで指示する処理の内容を示す処理情報とを付加して送信することにより、１つの制御メッセージで呼制御のための基本情報と、システム内機能の実現に必要な処理情報とを同時にやり取りするようにしている。
【００１４】
図２にボタン電話装置の構成例を示す。主装置１は、電話回線５３を介して電話網５１に接続されているとともに、通信回線５４を介してデータ通信網５２に接続されている。また、内線伝送路２０を介してボタン電話機２を収容しているとともに、ＬＡＮなどのデータ通信路３０を介してＩＰ電話端末３を収容している。
主装置１には、電話網接続部１１、データ通信網接続部１２、ＩＰ電話端末接続部１３、ボタン電話機接続部１４、スイッチ１５、データ／音声変換部１６、制御部１７、および記憶部１８が設けられている。
【００１５】
電話網接続部１１は、電話網５１からの電話回線５３を終端制御する回路部である。データ通信網接続部１２は、データ通信網５２からの通信回線５４を終端制御する回路部である。ＩＰ電話端末接続部１３は、データ通信路３０を介してＩＰ電話端末３を接続する回路部である。ボタン電話機接続部１４は、内線伝送路２０を介してボタン電話機２を接続する回路部である。スイッチ１５は、電話網接続部１１、ボタン電話機接続部１４、データ／音声変換部１６の各パスを相互に交換接続する回路部である。データ／音声変換部１６は、データ通信網接続部１２側の音声パケットとスイッチ１５側の音声データとを相互変換する回路部である。
【００１６】
制御部１７は、ＣＰＵなどのマイクロプロセッサとその周辺回路からなるコンピュータ（ハードウェア資源）を有し、所定のプログラムを実行することにより主装置１の各部を制御する機能部である。制御部１７には、機能手段として、当該ボタン電話装置での呼制御および他のボタン電話装置との間の呼制御を行う呼制御手段１７Ａが設けられている。これら機能手段は、上記ハードウェア資源とプログラムとを協働させることにより実現されている。
記憶部１８は、制御部１７での制御に用いるプログラムや各種制御データを記憶する回路部である。この記憶部１８には、制御データとして、各回線の電話番号や、他のボタン電話システムと識別するための当該ボタン電話システムに固有のシステムＩＤが予め設定されている。
【００１７】
記録媒体１９は、ＣＤ−ＲＯＭやフレキシブルディスクなどの記録媒体であり、呼制御手段１７Ａを含む制御部１７での各種処理を実現するプログラムが記録されている。
この記録媒体１９に記録されているプログラムは、ボタン電話装置の設置後の初期動作時やメンテナンス時など必要に応じて主装置１で読み込まれて記憶部１８へ格納され、制御部１７での各種処理を実現する。なお、プログラムは、記録媒体１９からではなく、データ通信網５２や電話網５１を介して受信したものを用いてもよい。この場合、プログラムは、データ通信網接続部１２または電話網接続部１１を介して制御部１７で受信され記憶部１８へ格納される。
【００１８】
ボタン電話機２が電話網５１を介して通話を行う際、制御部１７により、スイッチ１５を介して電話網接続部１１とボタン電話機接続部１４とのパスが接続される。そして、電話網５１側からの音声信号（音声データ）は、電話網接続部１１で音声データへ変換され、スイッチ１５、ボタン電話機接続部１４および内線伝送路２０を介してボタン電話機２へ送信される。また、ボタン電話機２からの音声データは、内線伝送路２０、ボタン電話機接続部１４およびスイッチ１５を介して電話網接続部１１へ入力され、ここで音声信号（音声データ）へ変換されて電話網５１側へ送信される。
【００１９】
一方、ＩＰ電話端末３がデータ通信網５２を介して通話を行う際、制御部１７により、データ通信網接続部１２とＩＰ電話端末接続部１３とのパスが接続される。そして、データ通信網５２側からの音声パケットは、データ通信網接続部１２、ＩＰ電話端末接続部１３およびデータ通信路３０を介してＩＰ電話端末３へ送信される。また、ＩＰ電話端末３からの音声データは、データ通信路３０、ＩＰ電話端末接続部１３およびデータ通信網接続部１２を介してデータ通信網５２側へ送信される。
【００２０】
なお、ボタン電話機２がデータ通信網５２を介して通話を行う際、データ通信網５２側からの音声パケットは、データ通信網接続部１２を介してデータ／音声変換部１６に入力されて音声データへ変換される。そして、その音声データがスイッチ１５およびボタン電話機接続部１４を介してボタン電話機２へ送信される。また、ボタン電話機２からの音声データは、ボタン電話機接続部１４およびスイッチ１５を介してデータ／音声変換部１６へ入力されて音声パケットへ変換される。そして、データ通信網接続部１２からデータ通信網５２側へ送信される。
【００２１】
これに対して、ＩＰ電話端末３が電話網５１を介して通話を行う際、電話網５１からの音声信号（音声データ）は、電話網接続部１１から音声データとして出力され、スイッチ１５を介してデータ／音声変換部１６へ入力されて音声パケットへ変換される。そして、その音声パケットがＩＰ電話端末接続部１３を介してＩＰ電話端末３へ送信される。また、ＩＰ電話端末３からの音声パケットは、データ／音声変換部１６へ入力されて音声データへ変換される。そして、スイッチ１５を介して電話網接続部１１へ入力され、音声信号（音声データ）として電話網５１側へ送信される。
【００２２】
さらに、電話網５１の通話とデータ通信網５２の通話とを中継接続する際、電話網５１からの音声信号（音声データ）は、電話網接続部１１から音声データとして出力され、スイッチ１５を介してデータ／音声変換部１６へ入力されて音声パケットへ変換される。そして、その音声パケットがデータ通信網接続部１２からデータ通信網５２側へ送信される。また、データ通信網５２側からの音声パケットは、データ通信網接続部１２を介してデータ／音声変換部１６に入力されて音声データへ変換される。そして、その音声データがスイッチ１５を介して電話網接続部１１へ入力され、音声信号（音声データ）として電話網５１側へ送信される。
【００２３】
図３はＩＰ電話端末の構成を示すブロック図である。
このＩＰ電話端末３には、データ通信部３１、音声処理部３２、端末制御部３３、表示部３４、操作部３５、および記憶部３６が設けられている。
データ通信部３１は、データ通信路３０を介して主装置１とパケット通信を行う回路部である。音声処理部３２は、データ通信部３１でやり取りする音声パケットと音声信号とを相互に変換したり、着信音などの各種信号音を出力する回路部である。端末制御部３３は、ＣＰＵなどのマイクロプロセッサとその周辺回路からなり、所定のプログラムを読み込んで各部を制御する。
【００２４】
表示部３４は、ＬＣＤやＬＥＤを用いて各種情報を表示する回路部である。操作部３５はダイヤルキーや各種機能キーを用いて利用者の操作を検出する回路部である。記憶部３６は端末制御部３３で実行するプログラムやその処理に必要な各種情報を記憶する回路部である。
また、ボタン電話機２については、データ通信部３１に代えて主装置１と内線伝送を行うデータ伝送部を有しているほかは、図３のＩＰ電話端末３と同様の構成をなしており、ここでの詳細な説明は省略する。
【００２５】
以上では、電話網５１を用いた通話を行うための構成として、電話網接続部１１、スイッチ１５、データ／音声変換部１６、ボタン電話機接続部１４、およびボタン電話機２を設けた場合を例として説明したが、電話網５１に代えてデータ通信網５２を用いた音声パケット通話を行う場合、上記の各構成は必須ではなく、これら構成を持たない構成であってもよい。また、ボタン電話機２でデータ通信網５２を用いた通話を行う際には、電話網接続部１１を持たない構成としてもよい。
また、本発明は、他のボタン電話装置の回線を利用する呼制御に関するものであり、各ボタン電話装置に１つ以上の電話機、すなわちボタン電話機２またはＩＰ電話端末３を備えていればよい。
【００２６】
次に、図４および図５を参照して、本実施の形態にかかるボタン電話装置の動作について、内線転送動作を例として説明する。図４はボタン電話システムの構成例である。図５は内線転送動作を示すシーケンス図である。
図４のボタン電話システムは、２つのボタン電話装置１０Ａ，１０Ｂからなり、それぞれの主装置１Ａ，１Ｂがデータ通信網５２を介して接続されている。
主装置１Ａに収容されている回線のうち、電話網５１からの回線には、電話番号「３４９３−ｘｘｘ０」が付与されており、データ通信網５２からの回線には、電話番号「０５０−ｔｔｔｔ−ｘｘｘ１」が付与されている。また、この主装置１Ａに収容されているＩＰ電話端末３Ａには内線番号「３４２０」が付与されている。
【００２７】
一方、主装置１Ｂに収容されているデータ通信網５２からの回線には、電話番号「０５０−ｔｔｔｔ−ｘｘｘ２」が付与されており、この主装置１Ｂに収容されている電話端末３Ｂには内線番号「２７１０」が付与されている。
また、相手電話機６に収容されている電話網５１からの回線には、電話番号「３５８０−ｙｙｙｙ」が付与されている。
以下では、相手電話機６からボタン電話装置１０Ａの回線への着信にＩＰ電話端末３Ａで応答し、これを主装置１ＢのＩＰ電話端末３Ｂへ内線転送する場合を例として説明する。
【００２８】
図５に示すように、主装置１Ａでは、相手電話機６から着信があった場合（ステップ１００）、制御部１７の呼制御手段１７Ｂは、電話網接続部１１を介してその着信を検出し、ＩＰ電話端末接続部１３からＩＰ電話端末３Ａを制御して着信表示を行う（ステップ１０１）。
これに応じて、ＩＰ電話端末３Ａで応答操作が行われた場合（ステップ１０２）、呼制御手段１７Ａは、電話網接続部１１で相手電話機６からの着信へ応答し、スイッチ１５を制御して相手電話機６の通話パスとＩＰ電話端末３Ａの通話パスを接続する（ステップ１０３）。これにより、両者間で通話が開始される（ステップ１０４）。
【００２９】
この後、ＩＰ電話端末３Ａで、その相手電話機６との通話をボタン電話装置１０ＢのＩＰ電話端末３Ｂへ内線転送するための内線呼出操作が行われた場合（ステップ１１０）、主装置１Ａの呼制御手段１７Ａは、スイッチ１５を制御して相手電話機６の通話パスを保留し（ステップ１１１）、データ通信網接続部１２からデータ通信網５２を介して主装置１Ｂへ内線呼出時の呼設定メッセージを送信する（ステップ１１２）。
図６に、制御メッセージ（内線呼出）の構成例を示す。本実施の形態にかかるボタン電話装置間でやり取りする制御メッセージは、一般的な呼制御用プロトコルで用いられる制御メッセージと同様の内容を含む基本情報２００と、その制御メッセージで指示する処理の内容を実現するための処理情報２０１とから構成されている。
【００３０】
基本情報２００には、その制御メッセージが指示する呼制御の種別を示すメッセージ種別２１０、その制御メッセージの発側装置の電話番号を示す発番号２１１、およびその制御メッセージの着側装置の電話番号を示す着番号２１２が含まれている。
また、処理情報２０１には、その制御メッセージがどのボタン電話システムのボタン電話装置からのものか識別するためのシステムＩＤ２２０、その制御メッセージで指示するシステム内機能を示す機能コマンド２２１、およびその機能コマンド２２１で指示されたシステム内機能で用いる情報を示す機能情報２２２が含まれている。
【００３１】
図６の例では、内線呼出を指示する制御メッセージであることから、メッセージ種別２１０に「呼設定」が設定され、発番号２１１に主装置１Ａのデータ通信網５２側の回線の電話番号「０５０−ｔｔｔｔ−ｘｘｘ１」が設定され、着番号２１２に主装置１Ｂのデータ通信網５２側の回線の電話番号「０５０−ｔｔｔｔ−ｘｘｘ２」が設定されている。
また、システムＩＤ２２０に当該ボタン電話システムのＩＤ「００１」が設定され、機能コマンド２２１に「内線呼出」が設定され、さらに、機能情報２２２に発信元内線番号としてＩＰ電話端末３Ａの内線番号「３４２０」と、着信先内線番号としてＩＰ電話端末３Ｂの内線番号「２７１０」が設定されている。
【００３２】
主装置１Ｂの制御部１７は、データ通信網接続部１２を介して主装置１Ａからの制御メッセージを受信し、呼制御手段１７Ａで、その制御メッセージに応じたシステム内機能、この場合には内線呼出を実施する。
この際、呼制御手段１７Ａは、一般的な呼制御プロトコルに基づき、まず、制御メッセージの基本情報２００を参照し、メッセージ種別が「呼設定」であることから着信があったことを確認し、その発信元および着信先を発番号２１１および着番号２１２で確認する。
【００３３】
次に、呼制御手段１７Ａは、システムＩＤを記憶部１８のシステムＩＤと照合し、当該システム内の制御メッセージであることを確認する。そして、機能コマンドが「内線呼出」であることから、機能情報２２２の着信先電話番号「２７１０」に対応するＩＰ電話端末３Ｂを内線呼出して着信表示を行う（ステップ１１３）。このとき、発信元内線番号「３４２０」をＩＰ電話端末３Ｂへ通知して表示させる。
【００３４】
この着信表示に応じて、ＩＰ電話端末３Ｂで応答操作が行われた場合（ステップ１１４）、呼制御手段１７Ａは、当該内線呼出に対する応答メッセージを、データ通信網接続部１２からデータ通信網５２を介して主装置１Ａへ送信する（ステップ１１５）。
この応答メッセージに応じて、主装置１Ａの呼制御手段１７ＡでＩＰ電話端末３Ａ，３Ｂの通話パスを接続し、これにより両者間で内線通話が開始される（ステップ１１６）。
【００３５】
そして、ＩＰ電話端末３Ａで内線転送操作が行われた場合（ステップ１２０）、主装置１Ａの呼制御手段１７Ａは、データ通信網接続部１２からデータ通信網５２を介して主装置１Ｂへ内線転送時の情報通知メッセージを送信する（ステップ１２１）。
図７に、制御メッセージ（内線転送）の構成例を示す。この制御メッセージも、前述した内線呼出時の制御メッセージと同様に、基本情報２００と処理情報２０１とを有している。
【００３６】
図７の例では、内線転送時の制御情報を通知する制御メッセージであることから、メッセージ種別２１０に「情報通知」が設定され、発番号２１１に主装置１Ａのデータ通信網５２側の回線の電話番号「０５０−ｔｔｔｔ−ｘｘｘ１」が設定され、着番号２１２に主装置１Ｂのデータ通信網５２側の回線の電話番号「０５０−ｔｔｔｔ−ｘｘｘ２」が設定されている。
また、システムＩＤ２２０に当該ボタン電話システムのＩＤ「００１」が設定され、機能コマンド２２１に「内線転送」が設定され、さらに、機能情報２２２に転送される元の通話の発信元電話番号として相手電話機６の電話番号「３５８０−ｙｙｙｙ」と、着信先電話番号として主装置１Ａのデータ通信網５２側の回線の電話番号「３４９３−ｘｘｘ０」が設定されている。
【００３７】
主装置１Ｂの制御部１７は、データ通信網接続部１２を介して主装置１Ａからの制御メッセージを受信し、呼制御手段１７Ａで、その制御メッセージに応じたシステム内機能、この場合には内線転送を実施する。なお、内線転送の場合、転送先主装置１Ｂでは、通話パスの接続変更はなく、その制御メッセージで通知された発信元さらには着信先の電話番号を表示したり、通話時間や通話料金を管理することになる。
一方、主装置１Ａの呼制御手段１７Ａは、スイッチ１５を制御して、保留しておいた相手電話機６の通話パスと主装置１ＢのＩＰ電話端末３Ｂの通話パスとを接続する（ステップ１２２）。これにより両者間の通話が開始される（ステップ１２３）。
【００３８】
このように、ボタン電話システムを構成する各ボタン電話装置間でデータ通信網を介して制御メッセージをやり取りすることにより呼制御を行う場合、各主装置の呼制御手段で、制御メッセージとして、当該ボタン電話システムに属するボタン電話装置からのメッセージであることを示すシステムＩＤと、当該制御メッセージで指示する処理の内容を示す処理情報とを付加したメッセージを送信するようにしたので、１つの制御メッセージで呼制御のための基本情報と、システム内機能の実現に必要な処理情報とを同時にやり取りすることができる。
したがって、複数のメッセージを異なるタイミングでやり取りして１つのシステム内機能を実現する従来技術と比較して、例えば同一システム内機能に関係するすべてのメッセージが到着するまでの過渡状態を厳密に管理する必要がなくなり、処理を複雑化させることなくシステム内機能を実現できる。
【００３９】
なお、以上では、各ボタン電話装置に収容されている電話網５１のＩＳＤＮ電話回線５３で形成される通話路（チャネル）を回線として、各ボタン電話装置で共用する場合を例として説明したが、この回線についてはＩＳＤＮ電話回線５３で形成される通話路に限定されるものではなく、例えばアナログ電話回線で形成される通話路のほか、データ通信網５２の通信回線５４でＶｏＩＰなどの音声パケット通信技術を用いて仮想的に形成される通話路についても同様である。
【００４０】
【発明の効果】
以上説明したように、本発明は、各主装置の呼制御手段で、制御メッセージとして、当該ボタン電話システムに属するボタン電話装置からのメッセージであることを示すシステムＩＤと、当該制御メッセージで指示する処理の内容を示す処理情報とを付加したメッセージを送信するようにしたので、１つの制御メッセージで呼制御のための基本情報と、システム内機能の実現に必要な処理情報とを同時にやり取りすることができる。
したがって、複数のメッセージを異なるタイミングでやり取りして１つのシステム内機能を実現する従来技術と比較して、例えば同一システム内機能に関係するすべてのメッセージが到着するまでの過渡状態を厳密に管理する必要がなくなり、処理を複雑化させることなくシステム内機能を実現できる。
【図面の簡単な説明】
【図１】本発明の一実施の形態にかかるボタン電話装置が適用されるボタン電話システムの構成を示すブロック図である。
【図２】本発明の一実施の形態にボタン電話装置の構成を示すブロック図である。
【図３】ＩＰ電話端末の構成を示すブロック図である。
【図４】ボタン電話システムの構成例である。
【図５】内線転送動作を示すシーケンス図である。
【図６】制御メッセージ（内線呼出時）の構成例である。
【図７】制御メッセージ（内線転送時）の構成例である。
【符号の説明】
１０Ａ，１０Ｂ，〜，１０Ｎ…ボタン電話装置、１，１Ａ，１Ｂ…主装置、１１…電話網接続部、１２…データ通信網接続部、１３…ＩＰ電話端末接続部、１４…ボタン電話機接続部、１５…スイッチ、１６…データ／音声変換部、１７…制御部、１７Ａ…呼制御手段、１８…記憶部、１８…記録媒体（プログラム）、２…ボタン電話機、２０…内線伝送路、３０…データ通信路、３…ＩＰ電話端末、３１…データ通信部、３２…音声処理部、３３…端末制御部、３４…表示部、３５…操作部、３６…記憶部、５１…電話網、５２…データ通信網、５３…電話回線、５４…通信回線、６…相手電話機、２００…基本情報、２０１…処理情報、２１０…メッセージ種別、２１１…発番号、２１２…着番号、２２０…システムＩＤ、２２１…機能コマンド、２２２…機能情報。
【図１】
2004304630.tif 000003
【図２】
2004304630.tif 000004
【図３】
2004304630.tif 000005
【図４】
2004304630.tif 000006
【図５】
2004304630.tif 000007
【図６】
2004304630.tif 000008
【図７】
2004304630.tif 000009